(57)【特許請求の範囲】
【請求項１】
扱胴の下方前方から後方の風選室に向けて形成した選別風路内に揺動選別体を架設し、脱穀処理物を機体幅方向に配設した横流ファンの下方からの圧風力で再選するように構成したコンバインにおいて、上記横流ファンの吸い込み側の回転軌跡に沿って上方に伸びる前壁と、吹出し側の回転軌跡に沿って下方に伸びる後壁で吸入空気の入出路を形成し、かつ上記前壁の下端縁を横流ファンの回転軌跡に沿う垂下方向に延出すると共に、上記横流ファンの左右端部の外周回転軌跡に臨む風止部材を、前壁の下端縁から後壁の下端縁に至る吸入開口部の左右側壁に延設したことを特徴とするコンバインにおける横流ファンのケース構造。
【請求項２】
上記横流ファンの吹出し方向に沿う拡開面を有するガイド体を、後壁の上端縁に設けたことを特徴とする請求項１記載のコンバインにおける横流ファンのケース構造。
【請求項３】
上記前壁の延出した下端縁と後壁の上端縁に設けたガイド体は、横流ファンの軸芯位置を挟む対向位置に設けられていることを特徴とする請求項２記載のコンバインにおける横流ファンのケース構造。
【発明の詳細な説明】
【０００１】
【発明の属する技術分野】
本発明は、扱胴の下方前方から後方の風選室に向けて形成した選別風路内に揺動選別体を架設し、その揺動選別作動を介して籾を選別分離するように構成したコンバインに係り、主に二番物の風選作用を行う横流ファンのケース構造に関するものである。
【０００２】
【従来の技術】
一般に、扱胴の軸芯方向後方に風選室を有し、該扱胴の下方前方より風選室に向けて形成した選別風路内に揺動選別体を架設してなるコンバインにおいては、図４に示すように、揺動選別体ａの前後揺動運動による比重選別作用と、選別風路ｂを吹き抜ける選別風による風選作用とによって、籾を一番物、二番物および籾屑等の夾雑物とに選別分離し、一番物は一番樋ｃに落下させたのち図示しない揚穀筒により籾タンクに回収し、二番物は二番樋ｄに落下させたのち二番還元筒により揺動選別体ａ上に還元して再選に供し、籾屑類は排塵室ｅで吸引ファンｆにより吸引して機体後方の排塵口ｇから機外へ放出するようになっている。
【０００３】
上述のような揺動選別体ａによる比重選別作用おいては、その下方に設けた横流ファンｈの圧風力で二番物の再選を行うようになっているが、図５に示すように、この横流ファンｈに吸い込み側での供給空気Ｏの一部が、横流ファンｈのケースをなす前壁Ｐの下端縁位置Ｑで逆流してしまい、横流ファンｈの空気吸入効率を低下させるばかりでなく、吹出し側のケース形状Ｒが空気Ｏの吹出し方向と一致していないため、このケース形状Ｒ位置で逆流や乱流の発生を誘発しやすく、更には当該ケース形状Ｒ位置に留まる空気Ｏの一部が横流ファンｈの吸い込み側に持ち回りされ、結果として横流ファンｈの吸入および吹出しの効率を低下させる、という改善の余地を有するものであった。
【０００４】
【発明が解決しようとする課題】
本発明は、上記のような実状に鑑みこれを改善すべく創案されたものであって、その目的とするところは、吸い込み空気流の逆流を可及的に抑制することができ、横流ファンの吸入、吹出し効率を向上させつつ、吹出し位置における吐出流の逆流、乱流を抑制してスムーズな吐出流の流通を確保することができるコンバインにおける横流ファンのケース構造を提供しようとするものである。
【０００５】
【課題を解決するための手段】
課題を解決するため、本発明が採用した第１の技術的手段は、扱胴の下方前方から後方の風選室に向けて形成した選別風路内に揺動選別体を架設し、脱穀処理物を機体幅方向に配設した横流ファンの下方からの圧風力で再選するように構成したコンバインにおいて、上記横流ファンの吸い込み側の回転軌跡に沿って上方に伸びる前壁と、吹出し側の回転軌跡に沿って下方に伸びる後壁で吸入空気の入出路を形成し、かつ上記前壁の下端縁を横流ファンの回転軌跡に沿う垂下方向に延出すると共に、上記横流ファンの左右端部の外周回転軌跡に臨む風止部材を、前壁の下端縁から後壁の下端縁に至る吸入開口部の左右側壁に延設したことを特徴とし、第２の技術的手段として、上記横流ファンの吹出し方向に沿う拡開面を有するガイド体を、後壁の上端縁に設けたことを特徴とし、第３の技術的手段として、上記前壁の延出した下端縁と後壁の上端縁に設けたガイド体は、横流ファンの軸芯位置を挟む対向位置に設けられていることを特徴とするものである。
【０００６】
【発明の実施の形態】
本発明の実施例を添付した図面を参照して詳細に説明する。
図１において、１は図示しないコンバインの走行機体上に搭載された扱室であって、該扱室１内には機体の進行前後方向に第１扱胴２が回転自在に軸架され、かつ当該第１扱胴２の後部側に第２扱胴３が軸架されていると共に、上記各扱胴２、３の下方位置に、波板状の無孔移送板４および開度可変な複数のシーブ５、５…で構成される揺動選別体６が配設されている。
【０００７】
また上記揺動選別体６の下方には、唐箕７と一番流板８および二番流板９からなる選別風路１０が形成されており、図示しない受網を介して漏下した籾を、揺動選別体６の前後揺動運動による比重選別作用と、選別風路１０を吹き抜ける選別風による風選作用との協働で、一番物、二番物と籾屑等の夾雑物とに選別分離し、一番物は一番ラセン１１ａを設けた一番樋１１に落下させて図示しない揚穀筒を介して籾タンクに回収し、二番物は二番ラセン１２ａを設けた二番樋１２に落下させた後に図示しない二番還元筒を経て揺動選別体６上に還元して再選に供すると共に、籾屑類は排塵室１３で吸引ファン１４により吸引して機体後方の排塵口１５から機外へ放出するように構成されている。
なお１６、１７は一番樋１１および二番樋１２の上方にそれぞれ位置して選別風路１０内に設けた風切板、１８はストローラックである。
【０００８】
ここで上記二番樋１２の機体進行方向の前方には、ストローラック１８に向けて下方から圧風を供給する横流ファン１９が機体幅方向に配設されており、図２に示すように、横流ファン１９の吸い込み側の回転軌跡２０に沿って上方に伸びる前壁２１ａ（一番流板８の裏面）と、吹出し側の回転軌跡２０に沿って下方に伸びて二番流板９に接続される後壁２１ｂで、吸入空気２１の入出路をなす吸入開口部２２と吹出し開口部２２´が機体幅方向にそれぞれ形成されていると共に、上記前壁２１ａの下端縁２３は、横流ファン１９の回転軌跡２０に沿う垂下方向に延出されて吸入空気２１の吸入開口部２２側での逆流を防止するように構成されている。
【０００９】
また上記後壁２１ｂの上端縁には断面三角形状をなすガイド体２４が機体幅方向に一体に取着されており、その案内面２４ａは横流ファン１９の吹出し方向に沿って拡開され、更に上記前壁２１ａの延出した下端縁２３と当該ガイド体２４は、横流ファン１９の回転軸１９ａを挟む対向位置に設けられている。
【００１０】
本発明は叙上の如く構成されているから、コンバインの機体走行により刈取作業を行ないながら第１扱胴２および第２扱胴３で脱穀作業を開始すると、これに連繋する揺動選別体６の前後揺動運動による比重選別作用が、選別風路１０を吹き抜ける選別風による風選作用と協働して行われ、一番物は一番樋１１から図示しない揚穀筒を介して籾タンクに回収されると共に、二番物は二番樋１２から二番還元筒を経て揺動選別体６上に還元して再選作用が行われることになり、またこれらと同時に籾屑類は排塵室１３から吸引ファン１４を介して排塵口１５から機外へ放出される。
【００１１】
上述のような揺動選別体６を中心とする揺動選別作業において、本発明では特に吸入空気２１を上方へ案内する前壁２１ａの下端縁２３が、図２（ａ）（ｂ）に示すように、吸入開口部２２における横流ファン１９の回転軌跡２０に沿って垂下方向に延出されているので、当該下端縁２３位置での吸入空気２１の逆流や取り込み漏れが一掃されて吸入効率を向上させることができる。
【００１２】
また横流ファン１９の吹出し方向に沿う案内面２４ａを有するガイド体２４が、吹出し開口部２２´に位置する後壁２１ｂの上端縁に設けられているので、当該位置での逆流や乱流の発生を誘発することなく吸入空気２１の吹出し作動をスムーズに行うことができ、これに伴って吹出した空気２１の吸い込み側への持ち回りを可及的に抑制し得て横流ファン１９における吹出し効率をも向上させことができる。
【００１３】
図３（ａ）（ｂ）は、前述の前壁２１ａの下端縁２３を延出し、かつ案内面２４ａを有するガイド体２４を後壁２１ｂの上端縁に設けた構成に加えて、上記横流ファン１９の左右端部の外周回転軌跡に臨む風止部材２５、２５を、前壁２１ａの下端縁２３から後壁２１ｂの下端縁２１ｂ´に至る吸入開口部２２の左右側壁２６、２６に延設した構成例を示すものであって、この例では、横流ファン１９の左右端部の外周回転軌跡と、これに近接する両側壁２６、２６との間に必然的に形成される空間部２７、２７において、吸入空気２１の乱流や一旦吐出した吹出し空気の吸い込み側への持ち回りを風止部材２５により未然に防止することができ、横流ファン１９の吸入および吹出し効率をより一層向上させることができる。
【００１４】
【発明の効果】
これを要するに本発明は、扱胴の下方前方から後方の風選室に向けて形成した選別風路内に揺動選別体を架設し、脱穀処理物を機体幅方向に配設した横流ファンの下方からの圧風力で再選するように構成したコンバインにおいて、上記横流ファンの吸い込み側の回転軌跡に沿って上方に伸びる前壁と、吹出し側の回転軌跡に沿って下方に伸びる後壁で吸入空気の入出路を形成し、かつ上記前壁の下端縁を横流ファンの回転軌跡に沿う垂下方向に延出したから、
▲１▼吸い込み空気流の逆流を可及的に抑制することができ、横流ファンの吸入、吹出し効率を向上させることができる。
また上記横流ファンの吹出し方向に沿う拡開面を有するガイド体を、後壁の上端縁に設け、また前壁の延出した下端縁と後壁の上端縁に設けたガイド体は、横流ファンの軸芯位置を挟む対向位置に設けられているから、
▲２▼横流ファンの吸入、吹出し効率の向上と共に横流ファンの吹出し位置における吐出空気の乱流を抑制して、スムーズな吐出空気の流通を確保することができる。
更に上記横流ファンの左右端部の外周回転軌跡に臨む風止部材を、前壁の下端縁から後壁の下端縁に至る吸入開口部の左右側壁に延設したから、
▲３▼吐出流の吸い込み側への持ち回りや漏れ出しを防止して横流ファンの吹出し効率を向上させることができる。
等という有用な新規的効果を奏するものである。
【図面の簡単な説明】
【図１】扱室内の一部省略側面図である。
【図２】（ａ）は横流ファンと前後壁の位置関係を示す要部拡大側断面図である。
（ｂ）は同上横流ファンの回転作動における吸入空気の流れを示す作用説明図である。
【図３】（ａ）は左右側壁にそれぞれ装着した風止部材の端面を示す一部省略横断面図である。
（ｂ）は同上要部の作用説明図である。
【図４】従来の扱室内の一部省略側面図である。
【図５】横流ファンの回転作動における従来の吸入空気の流れを示す作用説明図である。
【符号の説明】
２      第１扱胴
６      揺動選別体
１０    選別風路
１９    横流ファン
１９ａ  回転軸（軸芯位置）
２０    回転軌跡
２１    吸入空気
２１ａ  前壁
２１ｂ  後壁
２３    下端縁
２４    ガイド体
２４ａ  案内面（拡開面）
２５    風止部材
【図１】
0003625024.tif 000002
【図２】
0003625024.tif 000003
【図３】
0003625024.tif 000004
【図４】
0003625024.tif 000005
【図５】
0003625024.tif 000006